(57)【要約】【課題】パスワード入力時に使用者のプライバシーを確保すること。【解決手段】タイミング決定部１０６ｂは、入力される文字をパスワードの構成要素として受け付けるために、その受付を開始するタイミングを決定し、タイミング報知部１０６ｃは、決定したタイミングを使用者に報知する。パスワード正誤判定部１０６ｄは、報知した後に入力された文字をパスワードの構成要素として受け付、パスワードの構成要素によって構成されるパスワードが正しいか否かを判定する。【選択図】図１
2008071145.tif 000002
【特許請求の範囲】
【請求項１】
文字の入力を受け付ける入力手段と、
前記入力手段によりパスワードの構成要素ではない少なくとも１つの文字が入力された後に、前記パスワードの構成要素の受け付けを開始するタイミングを使用者に報知する報知手段と、
前記タイミングを決定する決定手段と、
前記報知手段によって報知した後に、前記入力手段により入力された文字を前記パスワードの構成要素として受け付けるパスワード受け付け手段と、
前記パスワードの構成要素によって構成されるパスワードが正しいか否かを判定する判定手段とを備えることを特徴とする情報処理装置。
【請求項２】
請求項１に記載の情報処理装置において、
前記報知手段は、使用者の触覚、聴覚、および視覚のいずれか１つを刺激して前記タイミングを報知することを特徴とする情報処理装置。
【請求項３】
請求項２に記載の情報処理装置において、
前記報知手段は、前記判定手段によって前記パスワードが誤っていると判定された場合は、前記タイミングを報知する場合とは異なる刺激形態で、使用者の触覚、聴覚、および視覚のいずれか１つを刺激することを特徴とする情報処理装置。
【請求項４】
請求項１に記載の情報処理装置において、
前記タイミングを決定するための情報を取り込む取込手段をさらに備え、
前記決定手段は、前記取込手段によって取り込まれた前記情報に基づいて、前記タイミングを決定することを特徴とする情報処理装置。
【請求項５】
請求項１に記載の情報処理装置において、
前記情報処理装置は、被写体像を撮像して画像を取得する撮像手段をさらに備えたカメラであって、
前記カメラにおいて、撮影に関する設定、カメラの起動、画像の再生、および画像の撮影のいずれかが行われる前に、使用者にパスワードの入力を促す表示をする表示手段をさらに備えることを特徴とする情報処理装置。
【請求項６】
請求項１に記載の情報処理装置において、
前記情報処理装置は、振動により使用者に着信を通知する振動手段をさらに備えた携帯電話であって、
前記報知手段は、前記振動手段により前記携帯電話を振動させて、前記タイミングを使用者に報知することを特徴とする情報処理装置。
【発明の詳細な説明】
【技術分野】
【０００１】
本発明は、パスワードの入力を受け付けて種々の処理を実行する情報処理装置に関する。
【背景技術】
【０００２】
次のような端末装置が知られている。この端末装置は、使用者が画面上をタッチして暗証番号を入力する場合など、利用者のプライバシーを保護する必要があると判断したときには、画面側方に遮光板を突出させて側方からの視界を遮るものである。（例えば、特許文献１）。
【０００３】
【特許文献１】特開平９−２２３２５０号公報
【発明の開示】
【発明が解決しようとする課題】
【０００４】
しかしながら、従来の端末装置のように、遮光板によって物理的に他人の視界を遮るだけでは、完全には他人による覗き見を防止することができず、利用者のプライバシーが十分に保護されてはいなかった。
【課題を解決するための手段】
【０００５】
本発明による情報処理装置は、文字の入力を受け付ける入力手段と、入力手段によりパスワードの構成要素ではない少なくとも１つの文字が入力された後に、パスワードの構成要素の受け付けを開始するタイミングを使用者に報知する報知手段と、タイミングを決定する決定手段と、報知手段によって報知した後に、入力手段により入力された文字をパスワードの構成要素として受け付けるパスワード受け付け手段と、パスワードの構成要素によって構成されるパスワードが正しいか否かを判定する判定手段とを備えることを特徴とする。
このとき、報知手段は、使用者の触覚、聴覚、および視覚のいずれか１つを刺激してタイミングを報知することが好ましい。
また、報知手段は、判定手段によってパスワードが誤っていると判定された場合は、タイミングを報知する場合とは異なる刺激形態で、使用者の触覚、聴覚、および視覚のいずれか１つを刺激するようにしてもよい。
また、タイミングを決定するための情報を取り込む取込手段をさらに備え、決定手段は、取込手段によって取り込まれた情報に基づいてタイミングを決定するようにしてもよい。
情報処理装置は、被写体像を撮像して画像を取得する撮像手段をさらに備えたカメラであって、報知手段は、カメラにおいて、撮影に関する設定、カメラの起動、画像の再生、および画像の撮影のいずれかが行われるときに、タイミングを使用者に報知するようにしてもよい。
情報処理装置は、被写体像を撮像して画像を取得する撮像手段と、振動により使用者に着信を通知する振動手段とをさらに備えた携帯電話であって、報知手段は、振動手段により携帯電話を振動させて、タイミングを使用者に報知するようにしてもよい。
【発明の効果】
【０００６】
本発明によれば、利用者のプライバシーを十分に保護することができる。
【発明を実施するための最良の形態】
【０００７】
図１は、本発明による情報処理装置をカメラ付き携帯電話に適用した場合の一実施の形態の構成を示すブロック図である。携帯電話１００は、カメラ１０１と、入力ボタン１０２と、メモリ１０３と、通信装置１０４と、振動装置１０５と、制御装置１０６と、モニタ１０７と、マイク１０８と、スピーカ１０９とを備えている。
【０００８】
カメラ１０１は、例えば、レンズ、撮像素子としてのＣＣＤやＣＭＯＳ、画像処理回路などを備えたカメラユニットである。入力ボタン１０２は、電話番号入力用の番号ボタン、通話開始ボタン、通話終了ボタンなど携帯電話が通常備えている種々のボタンを含む。また、メール機能使用時など文字を入力する必要があるときには、各番号ボタンに文字を入力するための機能が割り当てられる。また、カメラ１０１を使用して画像を撮影する場合には、各ボタンには、カメラの設定を行うための機能や、レリーズボタン、ズームボタンとして使用するための機能が割り当てられる。
【０００９】
メモリ１０３は、例えばＳＤＲＡＭである。メモリ１０３には、電話帳データ、カメラ１０１で撮影された画像データや動画データ、および後述するパスワード照合時に使用するパスワードデータ等が記録されている。なお、メモリ１０３はＳＤＲＡＭに限定されず、着脱可能な記憶媒体、例えばメモリーカード等を使用してもよい。
【００１０】
通信装置１０４は、外部アンテナ、または内蔵アンテナを含み、携帯電話の基地局と通信する。振動装置１０５は、携帯電話１００を振動させるための装置である。制御装置１０６は、携帯電話１００のモードがマナーモードに設定されているときには、着信時やメールの受信時に振動装置１０５を振動させることによって、使用者に着信またはメールの受信を知らせる。モニタ１０７は、例えば液晶モニタであって、携帯電話１００の設定メニュー、電話帳データ、カメラ１０１で撮影した画像などを表示する。マイク１０８は、使用者による発話音声を入力する。スピーカ１０９は、通話相手の声を出力したり、着信音や操作音を出力する。
【００１１】
制御装置１０６は、ＣＰＵ、メモリ、およびその他の周辺回路により構成され、カメラ設定部１０６ａ、タイミング決定部１０６ｂ、タイミング報知部１０６ｃ、およびパスワード正誤判定部１０６ｄを機能的に備えている。
【００１２】
カメラ設定部１０６ａは、使用者によって入力ボタン１０２が操作され、カメラ１０１の設定が行われた場合に、その入力を受け付けてカメラ１０１の設定を変更する。例えば、使用者は、入力ボタン１０２を操作して携帯電話１００のモードをカメラ１０１のカスタム設定モード設定することによって、カメラ１０１の設定を変更することができる。
【００１３】
このカスタム設定モードでは、使用者は、カメラ１０１で取得した画像を記録するに当たっての記録時の画像サイズ、画像撮影時のＩＳＯ感度、絞り値、および連写撮影を行うか否かなどの画像の取得条件（撮影条件）を設定することができる。また、撮影した画像に対して施す階調補正処理、輪郭強調処理の強さなどの画像処理条件を設定したり、カメラ１０１を使用した画像の撮影を禁止したりすることができる。
【００１４】
本実施の形態における携帯電話１００では、このように使用者によってカスタム設定モードへの移行が指示された場合に、カメラ設定部１０６ａは、使用者に対してパスワードの入力を求める。そして、そのパスワードが正しい場合にのみ、カスタム設定モードに移行して、使用者からのカメラ１０１の設定変更を受け付ける。なお、本実施の形態では、パスワードは、例えば半角英数字の組み合わせによって構成されるものとする。パスワードの文字数はあらかじめ決められており、例えば４文字とする。なお、パスワードに代えて数字のみで構成される暗証番号の入力を求めてもよい。
【００１５】
一般的に、携帯電話やその他の情報端末において、使用者に対してパスワードや暗証番号の入力を求めた場合には、使用者は、あらかじめ設定されている所定の文字数のパスワード、または所定桁数の暗証番号を入力ボタン１０２を操作して入力する。このとき、その入力内容がモニタ１０７に表示される場合もある。このような従来のパスワード入力方法によると、使用者が入力する文字列がパスワードそのものであるため、他人によってその入力内容が盗み見されると、他人にパスワードを知られてしまう可能性があった。
【００１６】
そこで、本実施の形態の携帯電話１００では、使用者による入力文字列を他人に盗み見されたとしても、パスワードが知られてしまうことがないようなパスワード入力方法を採用する。具体的には、使用者に対してパスワードの入力を求めたことによって使用者が文字の入力を開始したとき、文字の入力開始からランダムに定められた文字数が入力されたとしても、入力された文字をパスワードの構成要素としては受け付けない。そして、使用者が所定の文字数の入力を行なった後に入力される文字をパスワードの構成要素として受け付けるようにする。
【００１７】
このために、タイミング決定部１０６ｂは、使用者によって入力される文字を何文字目からパスワードの構成要素として受け付けるかを決定する。すなわち、パスワードの受付開始タイミング（入力開始タイミング）を決定する。本実施の形態では、タイミング決定部１０６ｂは、受付開始タイミングをランダムに決定する。例えば、タイミング決定部１０６ｂは、乱数を発生させて、その乱数に相当する文字数をパスワードの構成要素としては受け付けないダミー文字の入力数とする。
【００１８】
使用者は、パスワードの入力を要求された場合は、まず任意の文字（ダミー文字）の入力を開始する。このダミー文字は、使用者が好みの文字を自由に入力することができる。タイミング報知部１０６ｃは、使用者によるダミー文字の入力数が、タイミング決定部１０６ｂで決定したダミー文字の入力数になった時点で振動装置１０５を所定の振動パターンで振動させ、パスワードの受付開始タイミングを使用者に報知する。使用者は、携帯電話１００が振動したことを感知したときに、あらかじめ設定されているパスワードの１文字目を入力する。
【００１９】
パスワード正誤判定部１０６ｄは、タイミング報知部１０６ｃでパスワードの受付開始タイミングを報知した後に使用者によって入力された最初の文字をパスワードの構成要素として受け付ける。そして、パスワード正誤判定部１０６ｄは、メモリ１０３に記録されているパスワードデータを取得し、パスワードの構成要素として受け付けた文字が正しいか否かを判定する。すなわち、パスワード正誤判定部１０６ｄは、パスワードの１文字目が入力された場合には、メモリ１０３に記録されている正しいパスワードの１文字目と入力された文字とを比較して、入力された文字がパスワードの構成要素として正しいか否かを判定する。
【００２０】
その結果、入力された文字がパスワードの構成要素として誤っていると判定した場合には、パスワード正誤判定部１０６ｄは、振動装置１０５をパスワードの受付開始タイミングを報知するときとは異なる振動パターンで振動させて、入力された文字がパスワードの構成要素として正しくない旨を使用者に報知する。使用者は、入力した文字がパスワードの構成要素として正しくない旨が報知された場合には、再度、パスワードの１文字目の入力を行ない、パスワード正誤判定部１０６ｄは、入力された文字の正誤を判定する。
【００２１】
一方、入力された文字がパスワードの構成要素として正しいと判定した場合には、パスワード正誤判定部１０６ｄは、次の文字の入力を受け付ける。この場合も１文字目と同様に、使用者は再びダミー文字の入力を行う。そして、タイミング報知部１０６ｃは、使用者によるダミー文字の入力数が、タイミング決定部１０６ｂで決定したダミー文字の入力数になった時点で振動装置１０５を振動させてパスワードの受付開始タイミングを使用者に報知する。使用者は、携帯電話１００が振動したことを感知したときに、あらかじめ設定されているパスワードの２文字目を入力する。
【００２２】
パスワード正誤判定部１０６ｄは、タイミング報知部１０６ｃでパスワードの受付開始タイミングを報知した後に使用者によって入力された最初の文字をパスワードの構成要素として受け付ける。そして、１文字目と同様にメモリ１０３に記録されているパスワードデータに基づいて、入力された文字がパスワードの構成要素として正しいか否かを判定する。そして、誤っていると判断した場合には、使用者にその旨を報知して再入力を促し、正しいと判定した場合には継続して次の文字の入力を受け付ける。この処理をあらかじめ設定されているパスワード文字数分の構成要素の受け付けが完了するまで繰り返す。
【００２３】
パスワード正誤判定部１０６ｄは、正しいと判定したパスワードの構成要素の数があらかじめ設定されているパスワードの文字数に到達した時点で、入力される文字をパスワードの構成要素として受け付けるのを終了する。このとき、最後に入力された文字がパスワードの構成要素である場合には、覗き見した他人にパスワードの最後の文字を知られてしまう可能性があるため、使用者は、さらに所定文字数、例えば３文字のダミー文字を入力する。パスワード正誤判定部１０６ｄは、使用者による所定文字数のダミー文字の入力が完了したことを検出すると、パスワードの受付が完了した旨をモニタ１０７に表示して使用者に通知する。そして、カメラ設定部１０６ａは、携帯電話１００のモードをカメラ１０１のカスタム設定モードに移行し、使用者によるカメラ１０１の設定変更を受け付ける。
【００２４】
図２は、使用者によってカスタム設定モードへの移行が指示されて４文字のパスワード「ＡＢＣＤ」の入力を受け付ける場合に、タイミング決定部１０６ｂがダミー文字の文字数を３文字と決定したときの使用者による文字の入力例を示す図である。なお、図２に示す例では、パスワード正誤判定部１０６ｄが上記正誤判定を行なった結果、パスワードの構成要素は全て正しいと判定した場合を示している。もし、いずれかの構成要素が誤っていると判定した場合には、その文字については上述したように再入力が行なわれる。
【００２５】
まず、使用者は、パスワードの入力が要求された場合には、３文字のダミー文字、例えばＸ、Ｙ、Ｚを入力する。パスワード正誤判定部１０６ｄは、これらのダミー文字はパスワードの構成要素としては受け付けない。タイミング報知部１０６ｃは、ダミー文字の入力数がタイミング決定部１０６ｂで決定した３文字になった時点（受付開始タイミング）２ａで、振動装置１０５を振動させてパスワードの受付開始タイミングを使用者に報知する。パスワード正誤判定部１０６ｄは、受付開始タイミング２ａの後に入力される最初の文字、すなわち文字Ａをパスワードの構成要素として受け付ける。そして、この構成要素をメモリ１０３に記録されているパスワードデータと照合して、正誤を判定する。
【００２６】
パスワードの２文字目を入力するに当たっては、使用者は再び３文字のダミー文字、例えば１，２，３を入力する。パスワード正誤判定部１０６ｄは、これらのダミー文字はパスワードの構成要素としては受け付けない。タイミング報知部１０６ｃは、ダミー文字の入力数がタイミング決定部１０６ｂで決定した３文字になった時点２ｂで、振動装置１０５を振動させてパスワードの受付開始タイミングを使用者に報知する。パスワード正誤判定部１０６ｄは、受付開始タイミング２ｂの後に入力される最初の文字、すなわち文字Ｂをパスワードの構成要素として受け付ける。そして、この構成要素をメモリ１０３に記録されているパスワードデータと照合して、正誤を判定する。
【００２７】
パスワードの３文字目を入力するに当たっては、使用者は再び３文字のダミー文字、例えばＬ、Ｍ、Ｎを入力する。パスワード正誤判定部１０６ｄは、これらのダミー文字はパスワードの構成要素としては受け付けない。タイミング報知部１０６ｃは、ダミー文字の入力数がタイミング決定部１０６ｂで決定した３文字になった時点２ｃで、振動装置１０５を振動させてパスワードの受付開始タイミングを使用者に報知する。パスワード正誤判定部１０６ｄは、受付開始タイミング２ｃの後に入力される最初の文字、すなわち文字Ｃをパスワードの構成要素として受け付ける。そして、この構成要素をメモリ１０３に記録されているパスワードデータと照合して、正誤を判定する。
【００２８】
パスワードの４文字目を入力するに当たっては、使用者は再び３文字のダミー文字、例えばＯ，Ｐ、Ｑを入力する。パスワード正誤判定部１０６ｄは、これらのダミー文字はパスワードの構成要素としては受け付けない。タイミング報知部１０６ｃは、ダミー文字の入力数がタイミング決定部１０６ｂで決定した３文字になった時点２ｄで、振動装置１０５を振動させてパスワードの受付開始タイミングを使用者に報知する。パスワード正誤判定部１０６ｄは、受付開始タイミング２ｄの後に入力される最初の文字、すなわち文字Ｄをパスワードの構成要素として受け付ける。そして、この構成要素をメモリ１０３に記録されているパスワードデータと照合して、正誤を判定する。
【００２９】
パスワード正誤判定部１０６ｄは、４文字のパスワードの構成要素の受付が完了した後に、さらに３文字のダミー文字９，８，７が入力されたことを検出したタイミング２ｅでパスワードの受付が完了した旨をモニタ１０７に表示して使用者に通知する。
【００３０】
図３は、本実施の形態における携帯電話１００の処理を示すフローチャートである。図３に示す処理は、使用者によってカスタム設定モードへの移行が指示された場合など、パスワードの要求が必要となる場合に起動するプログラムとして、制御装置１０６によって実行される。
【００３１】
ステップＳ１０において、タイミング決定部１０６ｂは、上述したパスワードの受付開始タイミングを決定する。その後、ステップＳ２０へ進み、カメラ設定部１０６ａは、使用者に対してパスワードの入力を求めて、ステップＳ３０へ進む。例えば、カメラ設定部１０６ａは、「パスワードを入力してください」という画像をモニタ１０７に表示する。ステップＳ３０では、タイミング報知部１０６ｃは、使用者によって入力ボタン１０２が操作されて、文字が入力されたか否かを判断する。文字が入力されたと判断した場合には、ステップＳ４０へ進む。
【００３２】
ステップＳ４０では、タイミング報知部１０６ｃは、使用者によって入力された文字数がタイミング決定部１０６ｂで決定したダミー文字数に到達したか否かを判定して、受付開始タイミングとなったか否かを判断する。受付開始タイミングになっていないと判断した場合には、ステップＳ３０へ戻る。これに対して、受付開始タイミングになったと判断した場合には、ステップＳ５０へ進む。ステップＳ５０では、タイミング報知部１０６ｃは、振動装置１０５を所定の振動パターンで振動させ、パスワードの受付開始タイミングを使用者に報知する。その後、ステップＳ６０へ進む。
【００３３】
ステップＳ６０では、パスワード正誤判定部１０６ｄは、使用者によって入力ボタン１０２が操作されて、文字が入力されたか否かを判断する。文字が入力されたと判断した場合には、ステップＳ７０へ進む。ステップＳ７０では、パスワード正誤判定部１０６ｄは、入力された文字をパスワードの構成要素として受け付ける。そして、メモリ１０３に記録されているパスワードと入力された文字とを比較して、入力された文字がパスワードの構成要素として正しいか否かを判定する。
【００３４】
その後、ステップＳ８０へ進み、パスワード正誤判定部１０６ｄは、ステップＳ８０における正誤判定の結果に基づいて、入力された文字がパスワードの構成要素として正しいか否かを判断する。入力された文字が誤っていると判断した場合には、ステップＳ９０へ進む。ステップＳ９０では、パスワード正誤判定部１０６ｄは、振動装置１０５をパスワードの受付開始タイミングを報知するときとは異なる振動パターンで振動させて、入力された文字がパスワードの構成要素として正しくない旨を使用者に報知する。その後、ステップＳ６０へ戻る。
【００３５】
一方、入力された文字が正しいと判断した場合には、ステップＳ１００へ進み、パスワード正誤判定部１０６ｄは、正しいと判定したパスワードの構成要素の数が、あらかじめ設定されているパスワードの文字数に到達したか否かを判断する。パスワードの文字数に到達していないと判断した場合には、ステップＳ３０へ戻ってパスワードの構成要素の受付を継続する。これに対して、パスワードの文字数に到達したと判断した場合には、入力される文字をパスワードの構成要素として受け付けるのを終了してステップＳ１１０へ進む。
【００３６】
ステップＳ１１０では、パスワード正誤判定部１０６ｄは、使用者によって入力ボタン１０２が操作されて、文字が入力されたか否かを判断する。文字が入力されたと判断した場合には、ステップＳ１２０へ進む。ステップＳ１２０では、パスワード正誤判定部１０６ｄは、入力された文字の数が、あらかじめ設定されているダミー文字数となったか否かを判断する。ダミー文字数になっていないと判断した場合には、ステップＳ１１０へ戻る。これに対して、ダミー文字数になったと判断した場合には、ステップＳ１３０へ進む。ステップＳ１３０では、パスワード正誤判定部１０６ｄは、パスワードの受付が完了した旨をモニタ１０７に表示して使用者に通知して、処理を終了する。
【００３７】
以上説明した本実施の形態によれば、以下のような作用効果を得ることができる。
（１）パスワードの受付開始タイミングを決定し、受付開始タイミング前に入力される文字はダミー文字としてパスワードの構成要素としては受け付けず、受付開始タイミング後に入力された最初の文字のみをパスワードの構成要素として受け付けるようにした。これによって、万が一、入力した文字を他人に見られたとしても、他人にはどの文字がパスワードの構成要素として受け付けられたかを知られずに済み、使用者のプライバシーを確保することができる。
【００３８】
（２）受付開始タイミングは、振動装置１０５を振動させることにより携帯電話１００を振動させて使用者に報知するようにした。これによって、携帯電話１００を把持している使用者のみが受付開始タイミングを知ることができ、他人に受付開始タイミングを知られずに済む。また、携帯電話は、一般的に着信やメールの受信を通知するためのバイブ機能を搭載しており、このバイブ機能を使用して携帯電話１００を振動させることにより、振動装置１０５を新たに設ける必要がなく、コスト的にも有利である。
【００３９】
（３）入力された文字がパスワードの構成要素として誤っている場合には、振動装置１０５をパスワードの受付開始タイミングを報知するときとは異なる振動パターンで振動させて、その旨を使用者に報知するようにした。これによって、使用者は、その振動パターンに基づいて、報知内容を的確に把握することができる。
【００４０】
（４）使用者によってカスタム設定モードへの移行が指示された場合に、使用者に対してパスワードの入力を求め、入力されたパスワードが正しい場合のみ、カメラ１０１の設定を変更できるようにした。これによって、携帯電話１００の所有者など、カメラ１０１の設定を変更する権限を持つ人物のみが設定を変更することができ、セキュリティを向上することができる。
【００４１】
（５）タイミング決定部１０６ｂは、受付開始タイミングをランダムに決定するようにした。もし、毎回、ダミー文字の文字数が同じ場合には、その文字数を知っている他人には、使用者が何番目に入力した文字がパスワードの構成要素として受け付けられるかを知られてしまう恐れがある。しかしながら、受付開始タイミングをランダムに決定することにより、ダミー文字の文字数を毎回異ならせることができ、上記問題点を解消することができる。
【００４２】
（６）正しいと判定したパスワードの構成要素の数があらかじめ設定されているパスワードの文字数に到達した時点で、入力される文字をパスワードの構成要素として受け付けるのを終了し、その後、使用者にさらに所定文字数のダミー文字を入力させるようにした。これによって、最後に入力された文字がパスワードの構成要素である場合には、覗き見した他人にパスワードの最後の文字を知られてしまう可能性があるが、これを回避して使用者のプライバシーを確保することができる。
【００４３】
―変形例―
なお、上述した実施の形態のデジタルカメラは、以下のように変形することもできる。
（１）上述した実施の形態では、本発明による情報処理装置をカメラ付き携帯電話に適用する例について説明した。しかしながら、パソコン、カメラ、ＡＴＭ（自動現金預け払い機）などに適用してもよい。
【００４４】
例えば、パソコンに適用した場合には、ログイン時などパスワードの入力が必要な場合に上述したパスワードの入力方法を採用すればよい。このとき、マウスやキーボードに振動装置を搭載しておき、使用者の手や指先に刺激を与えることによって受付開始タイミングを報知すればよい。
【００４５】
カメラに適用した場合には、カスタム設定を行う際にパスワードを要求して、上述したパスワードの入力方法を採用すればよい。このとき、カメラ本体やレリーズボタンを振動させて使用者の手や指先に刺激を与えることによって使用者に受付開始タイミングを報知すればよい。
【００４６】
ＡＴＭに適用した場合には、暗証番号の入力時に上述したパスワードの入力方法を採用すればよい。このとき、タッチパネルを搭載したモニタに振動装置を搭載しておき、暗証番号を入力するためにモニタをタッチする使用者の指に刺激を与えることによって受付開始タイミングを報知すればよい。
【００４７】
（２）上述した実施の形態では、タイミング決定部１０６ｂは、パスワードの受付開始タイミングをランダムに決定する例について説明した。しかしながら、パスワードの受付開始タイミングはあらかじめ設定されていてもよい。このとき、あらかじめ設定された受付開始タイミングに関する情報は、そのデータをメモリ１０３に記憶しておいてもよい。または、着脱可能な記憶媒体に受付開始タイミングを決定するための情報を記憶しておいてもよい。この場合、使用者は記憶媒体を読取装置に挿入し、タイミング決定部１０６ｂは、記憶媒体から受付開始タイミングに関する情報（受付開始タイミングを決定するための情報）を取り込んで、取り込んだ情報に基づいて受付開始タイミングを決定すればよい。
【００４８】
（３）上述した実施の形態では、パスワードの入力が完了した場合には、パスワードの受付が完了した旨をモニタ１０７に表示して使用者に通知するようにした。しかしながら、振動装置１０５を振動させて使用者に通知するようにしてもよい。このときの振動パターンは、受付開始タイミングを報知するときの振動パターン、および入力された文字がパスワードの構成要素として誤っていることを報知するときの振動パターンとは異なるものにすることが好ましい。また、パスワードの入力が完了したことの報知は行なわずに、そのまま次の画面、例えばカスタム設定用の画面へ画面を遷移させるようにしてもよい。
【００４９】
（４）上述した実施の形態では、振動装置１０５を振動させて使用者の触覚を刺激することによって受付開始タイミングや入力文字がパスワードの構成要素として誤っていることを報知することにした。しかしながら、スピーカ１０９から音声を出力して、使用者の聴覚を刺激することによって報知を行なってもよい。また、モニタ１０７に報知内容を表示して、使用者の視覚を刺激することによって報知を行なってもよい。なお、これらの場合は、他人に受付開始タイミングを知られることがないように、例えば使用者はイヤホンを装着してイヤホンを介して音声を出力したり、モニタ１０７に覗き見防止のための部材を取り付け、他人に覗かれないようにしたりする必要がある。
【００５０】
使用者の触覚、聴覚、視覚のいずれかに対してパスワードの誤りを報知する場合、受付開始タイミングを報知する場合とは異なる刺激形態で使用者を刺激する。例えば、イヤホンから出力される音の高さをパスワードの誤りを報知する場合と受付開始タイミングを報知する場合とで異なるようにすればよい。また、パスワードの誤りはスピーカ１０９より音声で報知し、受付開始タイミングは振動装置１０５により振動で報知するなど、異なる報知形態でパスワードの誤りと受付開始タイミングとを報知することにしてもよい。
【００５１】
（５）上述した実施の形態では、パスワードのみで認証を行なう例について説明した。しかしながら、携帯電話１００を複数の使用者が使用する場合には、使用者を特定するためのユーザＩＤとパスワードとを用いて認証を行なうようにしてもよい。この場合、ユーザＩＤとパスワードとを対応付けてメモリ１０３に記憶しておき、入力されたユーザＩＤに対応するパスワードを取得して、各使用者ごとに認証を行えばよい。
【００５２】
（６）上述した実施の形態では、パスワードの構成要素を１文字入力する度に、ダミー文字の入力および受付開始タイミングの報知をするようにした。しかしながら、受付開始タイミングの報知を行なった後、パスワードを構成する全ての構成要素の入力をまとめて受け付けてもよい。例えば、使用者によってカスタム設定モードへの移行が指示されて４文字のパスワード「ＡＢＣＤ」の入力を受け付ける場合に、タイミング決定部１０６ｂがダミー文字の文字数を３文字と決定した場合について説明する。
【００５３】
この場合には、図４に示すように、使用者は、パスワードの入力が要求された場合には、３文字のダミー文字、例えばＸ、Ｙ、Ｚを入力する。パスワード正誤判定部１０６ｄは、これらのダミー文字はパスワードの構成要素としては受け付けない。タイミング報知部１０６ｃは、ダミー文字の入力数がタイミング決定部１０６ｂで決定した３文字になった時点（受付開始タイミング）４ａで、振動装置１０５を振動させてパスワードの受付開始タイミングを使用者に報知する。
【００５４】
ここで、使用者は、使用者は４文字のパスワード「ＡＢＣＤ」を入力する。そして、パスワード正誤判定部１０６ｄは、受付開始タイミング４ａの後に入力される４文字「ＡＢＣＤ」をそれぞれパスワードの構成要素として受け付ける。そして、この構成要素によって構成されるパスワードをメモリ１０３に記録されているパスワードデータと照合してパスワード全体としての正誤を判定する。
【００５５】
そして、パスワード正誤判定部１０６ｄは、４文字のパスワードの構成要素の受付が完了した後に、さらに３文字のダミー文字９，８，７が入力されたことを検出したタイミング４ｂでパスワードの受付が完了した旨をモニタ１０７に表示して使用者に通知する。
【００５６】
（７）上述した実施の形態では、カメラ１０１の撮影に関する設定などのカスタム設定を行う場合に使用者に対してパスワードの入力を要求する例について説明した。しかしながら、使用者が入力ボタン１０２を操作することにより、カメラの起動、画像の再生、および画像の撮影のいずれかのモードへの移行の指示が入力されたときに、各モードへの移行前にパスワードの要求を行うようにし、上述した受付開始タイミングを使用者に報知するようにしてもよい。例えば、カメラ設定部１０６ａは、各モードへの移行前に「パスワードを入力してください」という画像をモニタ１０７に表示するようにしてもよい。
【００５７】
（８）上述した実施の形態では、タイミング決定部１０６ｂは、使用者によって入力されたダミー文字の文字数がランダムに定められた文字数となった後に、パスワードの構成要素としての受付を開始するようにパスワードの受付開始タイミングを決定する例について説明した。しかしながら、タイミング決定部１０６ｂは、使用者によるダミー文字の入力を所定時間受け付けた後に、パスワードの構成要素としての受付を開始するようにパスワードの受付開始タイミングを決定してもよい。
【００５８】
（９）上述した実施の形態では、パスワード正誤判定部１０６ｄは、タイミング報知部１０６ｃでパスワードの受付開始タイミングを報知した後に使用者によって入力された最初の文字をパスワードの構成要素として受け付ける例について説明した。しかしながら、パスワードの受付開始タイミングを報知した後に使用者によって入力される何文字目をパスワードの構成要素として受け付けるかのルールをあらかじめ決めておき、そのルールに従ってパスワードの構成要素を受け付けるようにしてもよい。例えば、パスワード正誤判定部１０６ｄは、タイミング報知部１０６ｃでパスワードの受付開始タイミングを報知した後に使用者によって入力された２文字目をパスワードの構成要素として受け付けるようにしてもよい。
【００５９】
（１０）上述した実施の形態では、ダミー文字の文字数を全て３文字としたが、これに限らない。例えば、タイミング決定部１０６ｂは、パスワードの構成要素を受け付ける度に、次のパスワードの構成要素を受け付けるまでのダミー文字の文字数をランダムになるように決定してもよい。すなわち、１文字目のパスワードの構成要素を受け付けるまでのダミー文字数が３で、２文字目のパスワードの構成要素を受け付けるまでのダミー文字数を５としてもよい。
【００６０】
なお、本発明の特徴的な機能を損なわない限り、本発明は、上述した実施の形態における構成に何ら限定されない。
【図面の簡単な説明】
【００６１】
【図１】情報処理装置をカメラ付き携帯電話に適用した場合の一実施の形態の構成を示すブロック図である。
【図２】パスワード入力の具体例を示す図である。
【図３】携帯電話１００の処理を示すフローチャート図である。
【図４】変形例におけるパスワード入力の具体例を示す図である。
【符号の説明】
【００６２】
１００  携帯電話、１０１  カメラ、１０２  入力ボタン、１０３  メモリ、１０４  通信装置、１０５  振動装置、１０６  制御装置、１０６ａ  カメラ設定部、１０６ｂ  タイミング決定部、１０６ｃ  タイミング報知部、１０６ｄ  パスワード正誤判定部、１０７  モニタ、１０８  マイク、１０９  スピーカ
【図１】
2008071145.tif 000003
【図２】
2008071145.tif 000004
【図３】
2008071145.tif 000005
【図４】
2008071145.tif 000006